【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
複数の遊技台と入金された紙幣に基づいて遊技媒体の貸出処理を行う複数の貸出処理機とを並べて配置することによって構成された遊技島を備えた遊技施設における紙幣搬送システムであって、
前記遊技島内の前記各貸出処理機に入金された紙幣を、前記遊技島の一端側に配置された紙幣回収部まで搬送する紙幣搬送装置を含み、
前記紙幣搬送装置は、
複数の貸出処理機が並べられた方向に並んで配置され、対応する１または複数の前記貸出処理機から紙幣を取り込むとともに取り込んだ紙幣を前記紙幣回収部に向かって搬送する紙幣搬送機構を有する複数の紙幣取込・搬送部と、
前記各紙幣取込・搬送部に設けられ、当該紙幣取込・搬送部における前記紙幣搬送機構を駆動するための駆動装置と、
前記各紙幣取込・搬送部に設けられ、当該紙幣取込・搬送部内を通過する紙幣を検知するための紙幣検知センサとを含み、
前記各紙幣取込・搬送部は、それに対応する１または複数の貸出処理機のうちの少なくとも１つの貸出処理機である搬送部制御用貸出処理機によって制御される、紙幣搬送システム。
【請求項２】
各搬送部制御用貸出処理機は、対応する前記紙幣取込・搬送部における前記駆動装置の状態と前記紙幣検知センサの状態とを表す紙幣搬送情報を作成して紙幣搬送方向の下流側に隣接する他の搬送部制御用貸出処理機に通知する手段を含む、請求項１に記載の紙幣搬送システム。
【請求項３】
前記各搬送部制御用貸出処理機は、紙幣搬送方向の上流側に隣接する他の搬送部制御用貸出処理機から通知される紙幣搬送情報と自己の搬送部制御用貸出処理機に対する紙幣の入金状態とに基づいて、対応する前記紙幣取込・搬送部における前記駆動装置を制御する手段をさらに含む、請求項２に記載の紙幣搬送システム。
【請求項４】
前記各搬送部制御用貸出処理機は、紙幣搬送方向の上流側に隣接する他の搬送部制御用貸出処理機から通知される紙幣搬送情報に基づいて、自己の搬送部制御用貸出処理機に入金された紙幣を対応する前記紙幣取込・搬送部に排出するタイミングを制御する手段をさらに含む、請求項２または３に記載の紙幣搬送システム。
【請求項５】
前記遊技島が、任意の貸出処理機の代わりにダミー枠が配置されている遊技施設における紙幣搬送システムであって、
前記ダミー枠に対応する前記紙幣取込・搬送部を第1の紙幣取込・搬送部とし、前記第1の紙幣取込・搬送部の上流側に隣接する紙幣取込・搬送部を第２の紙幣取込・搬送部とすると、前記第２の紙幣取込・搬送部を制御する前記搬送部制御用貸出処理機は、前記第1の紙幣取込・搬送部における駆動装置を、前記第２の紙幣取込・搬送部における駆動装置と同期して駆動させる手段を含む、請求項２〜４のいずれかに記載の紙幣搬送システム。
【請求項６】
前記紙幣取込・搬送部の両側に前記貸出処理機が配置されている場合に、これらの２つの貸出処理機のうちの一方が主貸出処理機とされ、他方が従貸出処理機とされ、
前記従貸出処理機は、当該従貸出処理機に紙幣が入金されたときには、その旨を示す紙幣入金情報を前記主貸出処理機に通知する手段を備えており、
前記主貸出処理機は、
紙幣搬送方向の上流側に隣接する他の搬送部制御用貸出処理機から通知される紙幣搬送情報と、自己の主貸出処理機に対する紙幣の入金状態と、前記従貸出処理機から通知される紙幣入金情報とに基づいて、対応する前記紙幣取込・搬送部における前記駆動装置を制御する手段と、
紙幣搬送方向の上流側に隣接する他の搬送部制御用貸出処理機から通知される紙幣搬送情報と、自己の主貸出処理機に対応する前記紙幣取込・搬送部における紙幣搬送状態とに基づいて、自己の主貸出処理機に入金された紙幣を対応する前記紙幣取込・搬送部に排出するタイミングを制御する手段と、
前記従貸出処理機から紙幣入金情報が通知された場合には、紙幣搬送方向の上流側に隣接する他の搬送部制御用貸出処理機から通知される紙幣搬送情報と、自己の主貸出処理機に対応する前記紙幣取込・搬送部における紙幣搬送状態とに基づいて、前記従貸出処理機に入金された紙幣を対応する前記紙幣取込・搬送部に排出するタイミングを制御する手段を含む、請求項２に記載の紙幣搬送システム。
【請求項７】
前記各搬送部制御用貸出処理機と通信可能な島端制御装置をさらに含み、
前記島端制御装置は、これらの搬送部制御用貸出処理機が作成した紙幣搬送情報を取得して、外部出力する手段を含む、請求項２〜６のいずれかに記載の紙幣搬送システム。
【手続補正２】
【補正対象書類名】明細書
【補正対象項目名】００１０
【補正方法】変更
【補正の内容】
【００１０】
請求項１に記載の発明は、複数の遊技台と入金された紙幣に基づいて遊技媒体の貸出処理を行う複数の貸出処理機とを並べて配置することによって構成された遊技島を備えた遊技施設における紙幣搬送システムであって、前記遊技島内の前記各貸出処理機に入金された紙幣を、前記遊技島の一端側に配置された紙幣回収部まで搬送する紙幣搬送装置を含み、前記紙幣搬送装置は、複数の貸出処理機が並べられた方向に並んで配置され、対応する１または複数の前記貸出処理機から紙幣を取り込むとともに取り込んだ紙幣を前記紙幣回収部に向かって搬送する紙幣搬送機構を有する複数の紙幣取込・搬送部と、前記各紙幣取込・搬送部に設けられ、当該紙幣取込・搬送部における前記紙幣搬送機構を駆動するための駆動装置と、前記各紙幣取込・搬送部に設けられ、当該紙幣取込・搬送部内を通過する紙幣を検知するための紙幣検知センサとを含み、前記各紙幣取込・搬送部は、それに対応する１または複数の貸出処理機のうちの少なくとも１つの貸出処理機である搬送部制御用貸出処理機によって制御される、紙幣搬送システムである。
【手続補正３】
【補正対象書類名】明細書
【補正対象項目名】００１１
【補正方法】変更
【補正の内容】
【００１１】
この発明によれば、貸出処理機によって、紙幣搬送装置を制御することができる。これにより、複数のサブコントローラによって紙幣搬送装置を制御する従来例に比べて、構成を簡単にできるとともに、コストを低減させることができる。
請求項２記載の発明は、各搬送部制御用貸出処理機は、対応する前記紙幣取込・搬送部における前記駆動装置の状態と前記紙幣検知センサの状態とを表す紙幣搬送情報を作成して紙幣搬送方向の下流側に隣接する他の搬送部制御用貸出処理機に通知する手段を含む、請求項１に記載の紙幣搬送システムである。
この構成では、各搬送部制御用貸出処理機には、その上流側に隣接する他の搬送部制御用貸出処理機から紙幣搬送情報が通知される。したがって、各搬送部制御用貸出処理機は、その上流側に隣接する他の搬送部制御用貸出処理機によって通知される紙幣搬送情報等に基づいて、対応する紙幣取込・搬送部の駆動装置を制御することが可能となる。また、各搬送部制御用貸出処理機は、その上流側に隣接する他の搬送部制御用貸出処理機によって通知される紙幣搬送情報等に基づいて、自己の搬送部制御用貸出処理機に入金された紙幣を、当該紙幣取込・搬送部に排出するタイミングを制御することが可能となる。
【手続補正４】
【補正対象書類名】明細書
【補正対象項目名】００１２
【補正方法】変更
【補正の内容】
【００１２】
請求項３記載の発明は、前記各搬送部制御用貸出処理機は、紙幣搬送方向の上流側に隣接する他の搬送部制御用貸出処理機から通知される紙幣搬送情報と自己の搬送部制御用貸出処理機に対する紙幣の入金状態とに基づいて、対応する前記紙幣取込・搬送部における前記駆動装置を制御する手段をさらに含む、請求項２に記載の紙幣搬送システムである。
【手続補正５】
【補正対象書類名】明細書
【補正対象項目名】００１４
【補正方法】変更
【補正の内容】
【００１４】
請求項４記載の発明は、前記各搬送部制御用貸出処理機は、紙幣搬送方向の上流側に隣接する他の搬送部制御用貸出処理機から通知される紙幣搬送情報に基づいて、自己の搬送部制御用貸出処理機に入金された紙幣を対応する前記紙幣取込・搬送部に排出するタイミングを制御する手段をさらに含む、請求項２または３に記載の紙幣搬送システムである。
この構成によれば、各搬送部制御用貸出処理機は、紙幣搬送方向の上流側に隣接する他の搬送部制御用貸出処理機から通知される紙幣搬送情報に基づいて、自己の搬送部制御用貸出処理機に入金された紙幣を対応する紙幣取込・搬送部に排出するタイミングを制御することが可能となる。これにより、搬送部制御用貸出処理機に入金された紙幣を、上流側から搬送されてくる紙幣と重ならないように、紙幣取込・搬送部に排出することが可能となる。
【手続補正６】
【補正対象書類名】明細書
【補正対象項目名】００１５
【補正方法】変更
【補正の内容】
【００１５】
請求項５記載の発明は、前記遊技島が、任意の貸出処理機の代わりにダミー枠が配置されている遊技施設における紙幣搬送システムであって、前記ダミー枠に対応する前記紙幣取込・搬送部を第1の紙幣取込・搬送部とし、前記第1の紙幣取込・搬送部の上流側に隣接する紙幣取込・搬送部を第２の紙幣取込・搬送部とすると、前記第２の紙幣取込・搬送部を制御する前記搬送部制御用貸出処理機は、前記第1の紙幣取込・搬送部における駆動装置を、前記第２の紙幣取込・搬送部における駆動装置と同期して駆動させる手段を含む、請求項２〜４のいずれかに記載の紙幣搬送システムである。
【手続補正７】
【補正対象書類名】明細書
【補正対象項目名】００１７
【補正方法】変更
【補正の内容】
【００１７】
請求項６記載の発明は、前記紙幣取込・搬送部の両側に前記貸出処理機が配置されている場合に、これらの２つの貸出処理機のうちの一方が主貸出処理機とされ、他方が従貸出処理機とされ、前記従貸出処理機は、当該従貸出処理機に紙幣が入金されたときには、その旨を示す紙幣入金情報を前記主貸出処理機に通知する手段を備えており、前記主貸出処理機は、紙幣搬送方向の上流側に隣接する他の搬送部制御用貸出処理機から通知される紙幣搬送情報と、自己の主貸出処理機に対する紙幣の入金状態と、前記従貸出処理機から通知される紙幣入金情報とに基づいて、対応する前記紙幣取込・搬送部における前記駆動装置を制御する手段と、紙幣搬送方向の上流側に隣接する他の搬送部制御用貸出処理機から通知される紙幣搬送情報と、自己の主貸出処理機に対応する前記紙幣取込・搬送部における紙幣搬送状態とに基づいて、自己の主貸出処理機に入金された紙幣を対応する前記紙幣取込・搬送部に排出するタイミングを制御する手段と、前記従貸出処理機から紙幣入金情報が通知された場合には、紙幣搬送方向の上流側に隣接する他の搬送部制御用貸出処理機から通知される紙幣搬送情報と、自己の主貸出処理機に対応する前記紙幣取込・搬送部における紙幣搬送状態とに基づいて、前記従貸出処理機に入金された紙幣を対応する前記紙幣取込・搬送部に排出するタイミングを制御する手段を含む、請求項２に記載の紙幣搬送システムである。
【手続補正８】
【補正対象書類名】明細書
【補正対象項目名】００２１
【補正方法】変更
【補正の内容】
【００２１】
請求項７記載の発明は、前記各搬送部制御用貸出処理機と通信可能な島端制御装置をさらに含み、前記島端制御装置は、これらの搬送部制御用貸出処理機が作成した紙幣搬送情報を取得して、外部出力する手段を含む、請求項２〜６のいずれかに記載の紙幣搬送システムである。
この構成では、島端制御装置は、各搬送部制御用貸出処理機が作成した紙幣搬送情報を取得して、外部出力することが可能となる。これにより、島端制御装置は、紙幣ジャム等の搬送エラーが発生した箇所を確認して表示したり、遊技施設を管理するコンピータに通知したりすることが可能となる。